(57)【要約】【課題】  索条（ケーブル）の他端取り付ける取付具を機器の使用する箇所近辺で探す必要がなく、且つ取付具を取り外すには困難が伴う機器の盗難防止手段を備えた机を提供すること。【解決手段】  天板３から蓋体４を開放した状態であっても、ケーブル２６の他端はコンセントユニット１５と一体成型した取付具２１に取り外し不能に結びつけられるとともに、ケーブル２６の一端は機器３０に取り付けた施錠具２７に取り外し不能に取り付けられるので、施錠具２７が施錠状態であればコンセントユニット１５を破壊するかケーブル２６を電動切断機等で切断しない限り、機器３０を天板上から持ち去ることができず、確実に機器３０の盗難を防止できる。【選択図】  図４
2006238981.tif 000002
【特許請求の範囲】
【請求項１】
天板上に載置した機器に取り付けた施錠具に一端を取り外し不能に取り付けたケーブルの他端を固定物に結びつけて機器の搬出を不能にした機器の盗難防止手段を備えた机であって、前記天板にはコンセントユニットが設けられ、前記ケーブルの他端は前記コンセントユニットと一体成型した取付具に取り外し不能に結びつけたことを特徴とする機器の盗難防止手段を備えた机。
【請求項２】
前記コンセントユニットは、前記取付具を備えた金属製板材にコンセント用器具が取り付けられたものであり、前記板材は前記天板の下面に固着具により固定されている請求項１に記載の機器の盗難防止手段を備えた机。
【請求項３】
前記天板に掘り込み部を設け、該掘り込み部底部に前記板材を嵌め込んだ請求項２に記載の機器の盗難防止手段を備えた机。
【発明の詳細な説明】
【技術分野】
【０００１】
本発明は、天板上に載置した機器に取り付けた施錠具に一端を取り外し不能に取り付けたケーブルの他端を固定物に結びつけて機器の搬出を不能にした機器の盗難防止手段を備えた机に関する。
【背景技術】
【０００２】
従来のＯＡ機器等の機器の盗難防止手段として、不使用時にこれら機器類が盗難されないように、機器に盗難防止のための施錠具を取付け、索条の一端をこの施錠具に取り外し不能に取り付け、他端をループ状にして柱等に回装縛持して機器の搬出による盗難を防止しており、施錠具を解錠しない限り機器と索条とを切り離すことができないように構成されていた（例えば、特許文献１参照）。
【０００３】
【特許文献１】特開平１０−１３１５８４号公報（段落００１８〜段落００２３、図１）
【発明の開示】
【発明が解決しようとする課題】
【０００４】
しかしながら、特許文献１においては、索条のループ状の他端で回装縛持する柱等が近くにない場合は、柱に代わる取付具を適当な場所に架設しなければならず、機器の使用箇所との関係で、容易には取り外すことができない取付具が見いだせるかどうが不確定であり、盗難防止機能を果たせない恐れがあった。
【０００５】
本発明は、このような問題点に着目してなされたもので、索条（ケーブル）の他端を取り付ける取付具を機器の使用する箇所近辺で探す必要がなく、且つ取付具を取り外すには困難が伴う機器の盗難防止手段を備えた机を提供することを目的とする。
【課題を解決するための手段】
【０００６】
上記課題を解決するために、本発明の請求項１に記載の機器の盗難防止手段を備えた机は、天板上に載置した機器に取り付けた施錠具に一端を取り外し不能に取り付けたケーブルの他端を固定物に結びつけて機器の搬出を不能にした機器の盗難防止手段を備えた机であって、前記天板にはコンセントユニットが設けられ、前記ケーブルの他端は前記コンセントユニットと一体成型した取付具に取り外し不能に結びつけたことを特徴としている。
この特徴によれば、ケーブルの他端はコンセントユニットと一体成型した取付具に取り外し不能に結びつけられ、ケーブルの一端は機器に取り付けた施錠具に取り外し不能に取り付けられているので、施錠具が施錠状態であれば、コンセントユニットを破壊するかケーブルを切断しない限りケーブルと機器を切り離すことができず、確実に機器の盗難を防止できる。そして取付具がコンセントユニットと一体成型されているので、天板上に新たに取付具を設けるスペースを確保する必要がない。
【０００７】
本発明の請求項２に記載の機器の盗難防止手段を備えた机は、請求項１に記載の機器の盗難防止手段を備えた机であって、前記コンセントユニットは、前記取付具を備えた金属製板材にコンセント用器具が取り付けられたものであり、前記板材は前記天板の下面に固着具により固定されていることを特徴としている。
この特徴によれば、天板の下面に潜り込んで板材を外さない限り、機器を搬出できないので盗難の可能性が低い。
【０００８】
本発明の請求項３に記載の機器の盗難防止手段を備えた机は、請求項２に記載の機器の盗難防止手段を備えた机であって、前記天板に掘り込み部を設け、該掘り込み部底部に前記板材を嵌め込んだことを特徴としている。
この特徴によれば、取付具を天板から突出しないように構成できるので、コンセントに差し込まれた電源ケーブルや通信ケーブルが取付具に邪魔されず、配線がスムーズに行える。
【発明を実施するための最良の形態】
【０００９】
本発明の実施例を以下に説明する。
【実施例】
【００１０】
図１は、本発明の実施例における機器の盗難防止手段を備えた机の全体像を示す斜視図であり、図２は、天板に取り付けられるコンセントユニットを示す分解組立斜視図であり、図３（ａ）は、天板に設けられたコンセントユニットにワイヤーケーブルを取り付ける過程を示す正面断面図であり、図３（ｂ）は、コンセントユニットの通常の使用状態を示す正面断面図であり、図４は、機器（以下、パソコン）がワイヤーケーブルを介してコンセントユニットに固定された状態を示す側断面図である。
【００１１】
本発明における机は、主としてノート型パソコン等の機器を常設させる学校内の専門教室に設置されるもので、教室の不使用時に机の天板上に設置される機器に蓋体を閉蓋させ、この蓋体を天板にロックさせることで、機器の盗難防止および外部からの破損防止を目的として利用されている。
【００１２】
図１に示されるように机１は、主に一対の脚柱２，２’と、脚柱２，２’の上端に支持固定された天板３と、一対の脚柱２，２’間に設けられた幕板２ａと、天板３上面の長さ方向に沿って並列された２つの蓋体４と、から構成されている。これら２つの蓋体４により天板３が２つに区画されており両区画にノート型のパソコン３０が載置されている。このパソコン３０に後述する天板３上に配線されたネットワーク通信を行うＬＡＮ等の通信ケーブル２８や、電源供給用の給電ケーブル２９を接続することで適宜利用可能となっている。
【００１３】
以下、本実施例の説明において、机１の正面側を前方をとし、机１の背面側を後方とし、一方の脚柱２側を左方とし、他方の脚柱２’側を右方として説明する。なお、２つの蓋体４の構造および蓋体の周辺機器類は同一構造であるので、本実施例では、一方の蓋体４まわりの構造についてのみ説明する。
【００１４】
蓋体４は天板３の左右に設けられた基部８のそれぞれ取り付けられた２本のリンク部材１０，１１で前方から後方へと開放可能に支持されており、両基部８を外部から隠蔽するように左右方向に延びるカバー体１２が取り付けられている。例えば、パソコン３０を利用しない場合には、蓋体４を天板３に閉蓋させたのち、天板３の前端部に形成された施解錠３ａの旋錠操作によって鈎を鍵孔３ｂから突設させることで、この鈎が蓋体４の前端部に形成された係合孔４ｃに係合され蓋体３が開放不能に固定される構造になっている。
【００１５】
カバー体１２の直下に位置する天板３の一部には、上下に貫通する掘り込み部３ｃが形成され、この掘り込み部３ｃにコンセントユニット１５が取り付けられている。コンセントユニット１５には、通信ケーブル２８および給電ケーブル２９の他端が接続されるとともに、盗難防止用の金属製ワイヤーケーブル２６の他端が取り付けられ、パソコン３０の背面側には、通信ケーブル２８および給電ケーブル２９，そしてワイヤーケーブル２６の一端が接続されている。
【００１６】
次いで、コンセントユニット１５について詳細に説明する。図２に示されるようにコンセントユニット１５は、主に金属製の板材で形成された金属製板材（以下、板材２０）および、各種コンセントを備えたコンセント用器具２３と、プラスチック材で形成された化粧カバー１６と、から構成されている。天板３の掘り込み部３ｃは左右の長さ方向に延びる矩形の開口が上下に貫通して形成されており、さらに掘り込み部３ｃの底面には開口が一段大きく形成された底部３ｄが形成されている。この底部３ｄの各隅部には上方に向けてネジ１８の取付穴３ｅが形成されている。
【００１７】
板材２０には、中央部の左右に所定間隔離間して係合孔２０ａ，２０ａ’が形成され、中央部の前後に向けて側面視半円形の金属製取付具（以下、取付具２１）が取り外し不要に溶接され連結固定されている。板材２０の係合孔２０ａの左方近傍および係合孔２０ａ’の右方近傍にはそれぞれネジ１９の螺合孔２０ｂが形成され、板材２０の各隅部にはネジ１８の貫通孔２０ｃが形成されている。
【００１８】
コンセント用器具２３の板部２３ｃには、左右に所定間隔離間して通信コンセント２３ａおよび電気コンセント２３ｂが取り付けられており、通信コンセント２３ａの上面に通信ケーブル２８の後述する通信プラグ２８ａを挿し込み可能な穴が形成され、電気コンセント２３ｂの上面にも給電ケーブル２９の後述する給電プラグ２９ａを挿し込み可能な穴が形成されている。そして、板部２３ｃの左右両端にはそれぞれネジ１９の貫通孔２３ｄが形成されている。
【００１９】
化粧カバー１６には、左右の長さ方向に延びる矩形の開口１６ａが上下に貫通して形成され、上端に外方に向けて係止枠１６ｃが形成されている。なお、開口１６ａの対向面である外側面には前後にそれぞれ外方に突設される抜止め係合片１６ｂが設けられており、天板３の掘り込み部３ｃに化粧カバー１６を嵌め込んで取り付けた際に、容易に取り外れない構成となっている。
【００２０】
そこで、これら板材２０，コンセント用器具２３，化粧カバー１６を前述した天板３の掘り込み部３ｃに取り付ける過程について具体的に説明すると、まず底部３ｄに板材２０を下方より上方に向けて嵌合させ、掘り込み部３ｃの内部空間に取付具２１を嵌め込んでネジ１８を各貫通孔２０ｃに貫通させて各取付穴３ｅに螺合させることで板材２０を固定する。
【００２１】
次いで、板材２０に下方より上方に向けてコンセント用器具２３を接合させながら係合孔２０ａに通信コンセント２３ａを嵌合させるとともに、係合孔２０ａ’に電気コンセント２３ｂを嵌合させたのち、ネジ１９を各貫通孔２３ｄに貫通させて各螺合孔２０ｂに螺合させることでコンセント用器具２３を固定する。そして、化粧カバー１６を上方より下方に向けて掘り込み部３ｃの開口３ｃに押し込むことで、開口３ｃの前後側面に各抜止め係合片１６ｂが嵌合固定される。
【００２２】
次に、天板３の掘り込み部３ｃに板材２０，コンセント用器具２３，化粧カバー１６が図３（ａ）に示されるように取り付けられる。掘り込み部３ｃの深さは、取付具２１および通信コンセント２３ａ、電気コンセント２３ｂが内設されたとき、天板３の上面に大きく突設して、天板３の利用時に邪魔なることがない設定になっている。さらに、化粧カバー１６によって開口３ｃの縁部の角が保護されることで、後述する盗難防止用ロック装置（以下、ロック装置２５）や通信ケーブル２８および給電ケーブル２９の取付作業時における指への引っ掛け防止保護となっている。
【００２３】
取付具２１に取り付けるロック装置２５には、金属線状の強固なワイヤーケーブル２６を二本に束ね、ワイヤーケーブル２６の一端が金属製の旋錠具２７に連結され、ワイヤーケーブル２６の他端部にかしめ金具２６ｂが介挿されることによってループ形のリング状挿通部２６ａが形成されている。旋錠具２７は図示しない鍵で旋錠操作される鍵穴部２７ａと、この鍵穴部２７ａに差し込んだ鍵の操作によって作動する突起２７ｂが設けられている。
【００２４】
そこで、取付具２１にリング状挿通部２６ａを挿通させたのち、ワイヤーケーブル２６の先端に取り外し不能に取り付けた旋錠具２７をリング状挿通部２６ａのリング内に通し、さらに旋錠具２７を図３（ａ）に示した矢印の如く略上方に向けて引っ張り上げることで、図３（ｂ）に示されるようにリング状挿通部２６ａを取付具２１に巻き付けることでワイヤーケーブル２６の一端側が回装縛持され、取り外し不能に結びつけられる。このように、ロック装置２５を介して取付具２１に上向きの力が加えられても、板材２０が底部３ｄに嵌合されていることから上方に取り外れることのない構成になっている
【００２５】
そして掘り込み部３ｃの上方より下方に向けて、給電ケーブル２９の給電プラグ２９ａを電気コンセント２３ｂに挿し込み、通信ケーブル２８の通信プラグ２８ａを通信コンセント２３ａに挿し込むことで、簡便にパソコン３０に電力を供給できるとともに、ネットワーク利用可能にできる。このように、取付具２１を天板３上面から大きく突出しないように構成できるので、各コンセント２３ｂ，２３ｂに差し込まれた電源ケーブル２８や通信ケーブル２９を取付具２１に邪魔されることなく、ケーブル配線の取り回しをスムーズに行えるようになっている。
【００２６】
次いで、図４に示されるように天板３上に載置されたパソコン３０の背面部の一部には、ロック穴３０ａが側面視鈎状に形成され、このロック穴３０ａに旋錠具２７の先端側を挿し込んだのち、鍵操作することでロック穴３０ａに突起２７ｂが突出し、旋錠具２７がパソコン３０に取り外し不能に連結される（施錠具２７の施錠状態）。
【００２７】
つまり、天板３の下面に潜り込んで、ネジ１８の解除操作をして板材２０を外さない限り、パソコン３０を搬出できないので盗難の可能性を低くできる。なお、本実施例ではパソコン３０にロック装置２５を用いているが、これに限定するものではなく、他の機器類に適用してもよいことは言うまでもない。
【００２８】
したがって、天板３から蓋体４を開放した状態であっても、ワイヤーケーブル２６の他端はコンセントユニット１５と一体成型した取付具２１に取り外し不能に結びつけられるとともに、ワイヤーケーブル２６の一端はパソコン３０に取り付けた施錠具２７に取り外し不能に取り付けられているので、施錠具２７が施錠状態であれば、コンセントユニット１５を破壊するかワイヤーケーブル２６を電動切断機等で切断しない限り、ロック装置２５とパソコン３０を切り離すことができず、確実にパソコン３０の盗難を防止できる。そして取付具２１がコンセントユニット１５内に一体で成型されているので、天板３上に新たに取付具２１を設けるスペースを確保する必要がなくコスト的にも優れ、且つ天板３上面からの見栄えも良くなる。
【００２９】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、板材２０とコンセント用器具２３を別体で構成しているが、コンセント用器具２３を使用せずに板材２０に予め通信コンセント２３ａおよび電気コンセント２３ｂを設けた板材を単体で使用するようにしても良い。
【００３０】
また、上記実施例の天板３の掘り込み部３ｃに化粧カバー１６を取り付けているが、本発明はこれに限定するものではなく、必ずしもコンセントユニット１５に化粧カバー１６を設けない構成でも良い。
【図面の簡単な説明】
【００３１】
【図１】本発明の実施例における機器の盗難防止手段を備えた机の全体像を示す斜視図である。
【図２】天板に取り付けられるコンセントユニットを示す分解組立斜視図である。
【図３】（ａ）は、天板に設けられたコンセントユニットにワイヤーケーブルを取り付ける過程を示す正面断面図であり、（ｂ）は、コンセントユニットの通常の使用状態を示す正面断面図である。
【図４】機器がワイヤーケーブルを介してコンセントユニットに固定された状態を示す側断面図である。
【符号の説明】
【００３２】
１                机
２、２’          脚柱
３                天板
３ｃ              掘り込み部
３ｄ              底部
３ｅ              取付穴
４                蓋体
８                基部
１０、１１        リンク部材
１５              コンセントユニット
１６              化粧カバー
１６ａ            開口
１６ｂ            抜止め係合片
２０              金属製板材
２０ａ、２０ａ’  係合孔
２０ｂ            螺合孔
２０ｃ            貫通孔
２１              取付具
２３              コンセント用器具
２３ａ            通信コンセント
２３ｂ            電気コンセント
２３ｃ            板部
２３ｄ            貫通孔
２５              盗難防止用ロック装置
２６              ワイヤーケーブル
２６ａ            リング状挿通部
２７              旋錠具
２７ａ            鍵穴部
２７ｂ            突起
２８              通信ケーブル
２９              給電ケーブル
３０              機器（パソコン等）
３０ａ            ロック穴
【図１】
2006238981.tif 000003
【図２】
2006238981.tif 000004
【図３】
2006238981.tif 000005
【図４】
2006238981.tif 000006